(57)【要約】直方体状であって、その短辺側面の一面にＩＣタグ２９を備えた試薬ボトル４を複数収容可能な収納部３と、ＩＣタグと通信するためのアンテナ３７と、試薬ボトルの有無を検知する検知器３８とを有する自動分析装置において、収納部３は、冷却機３５により冷却される収納容器３３と、収納容器の周囲を覆う断熱材３４と、試薬ボトルを保持する試薬ボトル保持部が複数設けられた試薬トレイ３０と、試薬トレイを回転可能に保持するディスク３２と、ディスクを駆動する駆動部３６とを有し、検知器３８が試薬ボトルの存在を検知した試薬ボトル保持部に架設された試薬ボトルのＩＣタグと通信不能である場合には、試薬ボトルが逆向きに架設されていると判断する。
2020179246.tif 000002
【特許請求の範囲】
【請求項１】
直方体状であって、その短辺側面の一面にＩＣタグを備えた試薬ボトルを複数収容可能な収納部と、
前記ＩＣタグと通信するためのアンテナと、
前記試薬ボトルの有無を検知する検知器と、
制御部とを有し、
前記収納部は、冷却機により冷却される収納容器と、前記収納容器の周囲を覆う断熱材と、前記試薬ボトルを保持する試薬ボトル保持部が複数設けられた試薬トレイと、前記試薬トレイを回転可能に保持するディスクと、前記ディスクを駆動する駆動部とを有し、
前記制御部は、前記検知器が試薬ボトルの存在を検知した前記試薬ボトル保持部に架設された第１の試薬ボトルの前記ＩＣタグと通信不能である場合には、前記第１の試薬ボトルが逆向きに架設されていると判断する自動分析装置。
【請求項２】
請求項１において、
前記検知器及び前記アンテナは、同一の前記試薬ボトル保持部に対向するように設けられた自動分析装置。
【請求項３】
請求項２において、
前記試薬トレイの前記試薬ボトル保持部は、前記試薬ボトルの短辺側面が前記収納容器の内周を向く形状を有し、
前記検知器及び前記アンテナは、前記試薬ボトル保持部に保持された前記試薬ボトルの短辺側面と対向する位置に設けられた自動分析装置。
【請求項４】
請求項３において、
前記検知器及び前記アンテナは前記断熱材の中に設けられている自動分析装置。
【請求項５】
請求項１において、
前記試薬ボトルには蓋が設けられ、前記試薬ボトルが前記収納部に収容されている状態においては、前記試薬ボトルの蓋が開放されている自動分析装置。
【請求項６】
請求項３において、
前記収納部は、試料容器を保持する試料保持部が複数設けられたサンプルラックを有し、
前記ディスクは前記サンプルラックを回転可能に保持するとともに、前記サンプルラックは前記試薬トレイに対して外周側に位置するよう配置される自動分析装置。
【発明の詳細な説明】
【技術分野】
【０００１】
本発明は、自動分析装置に関する。
【背景技術】
【０００２】
血液、尿などの生体サンプル（試料）の分析を行う自動分析装置では、試料中の分析対象成分と反応する試薬を試料に添加、混合することによって分析を行う。近年、製薬技術の進歩により、多くの種類の分析対象について分析が可能な試薬が市販化されるようになっている。このため、多くの種類の試薬を使用する自動分析装置では、試薬の取り違えにより間違った分析結果を報告しないよう、試薬ボトルにバーコードやＩＣタグ（ＲＦＩＤ）などの識別ＩＤを付して、装置が自動的に試薬の種類を識別する機構を備えるものが主流になっている。【０００３】
特許文献１では、試薬ディスクに試薬ボトルを投入する試薬容器投入箇所において試薬ボトルの投入向きを識別し、投入向きが逆向きの場合にはアクチュエータによって投入向きを是正して試薬ボトルを試薬ディスクに投入することが開示されている。投入向きを検知するためのセンサとしては、反射型センサやタグが例示されている。【０００４】
特許文献２では、試薬ボトルの上面にＩＣタグが付されている。ＩＣタグ用リーダアンテナが、試薬ボトルが正向きに架設された場合にはタグアンテナがリーダアンテナの通信可能領域に位置し、試薬ボトルが逆向きに架設された場合にはタグアンテナがリーダアンテナの通信可能領域から外れるように設けられることにより、ＩＣタグとの通信可否に基づき、試薬ボトルの向きを判断することが開示されている。
【先行技術文献】
【特許文献】
【０００５】
【特許文献１】特開２０１３−１３４１４５号公報
【特許文献２】特開２０１１−２７６５８号公報
【発明の概要】
【発明が解決しようとする課題】
【０００６】
試薬ボトルの形状が左右対称な直方体状である場合、自動分析装置の試薬ボトル保持部に、試薬ボトルが正規の向きではなく、逆向きに架設されてしまうことがありうる。試薬ボトルの向きを誤って架設して分析を行うと、通常、試薬ボトルのそれぞれの試薬容器には異なる試薬が収容されているため、正しい分析結果を得ることができない。近年、試薬ボトルの試薬情報を管理するため、試薬ボトルにＩＣタグが付されることが一般化している。上述の特許文献１，２は、ＩＣタグがアンテナと近距離に置かれた場合のみ通信可能であることを利用して、試薬ボトルの向きを判定する先行技術文献である。【０００７】
特許文献１は、試薬容器投入場所で投入向きを判定し、正しい向きに是正するため、試薬ボトルを正しい向きで投入可能であるが、試薬ボトルを投入するためのオーバーヘッドが大きく、同時に複数の試薬ボトルを投入したい場合など作業効率の低下が懸念される。一方、特許文献２では、ＩＣタグと通信できない場合に、試薬ボトルの向きが誤って架設されているのか、試薬ボトルが架設されていないのかを判定するため、試薬ボトル保持部を回転させて再度通信可能かどうかを確かめる、さらに試薬プローブによる液面検知を行うことによって試薬ボトルの有無及び架設された向きの判定を行っている。このため、特許文献２においては、ＩＣタグの試薬ボトルへの貼付位置が制約されるとともに、試薬ボトル保持部における試薬ボトルの架設状況を確認するオーバーヘッドを短縮することが難しく、検査のスループット向上の障害となる懸念がある。【０００８】
本発明は、試薬ボトルの逆置きを防止しつつ、迅速に試薬ボトルを交換可能な自動分析装置を提供することを目的とする。
【課題を解決するための手段】
【０００９】
本発明の一実施の形態である自動分析装置は、直方体状であって、その短辺側面の一面にＩＣタグを備えた試薬ボトルを複数収容可能な収納部と、ＩＣタグと通信するためのアンテナと、試薬ボトルの有無を検知する検知器と、制御部とを有し、収納部は、冷却機により冷却される収納容器と、収納容器の周囲を覆う断熱材と、試薬ボトルを保持する試薬ボトル保持部が複数設けられた試薬トレイと、試薬トレイを回転可能に保持するディスクと、ディスクを駆動する駆動部とを有し、制御部は、検知器が試薬ボトルの存在を検知した試薬ボトル保持部に架設された試薬ボトルのＩＣタグと通信不能である場合には、試薬ボトルが逆向きに架設されていると判断する。
【発明の効果】
【００１０】
試薬ボトルの逆置きを防止しつつ、迅速に試薬ボトルを交換可能な自動分析装置を提供する。【００１１】
その他の課題と新規な特徴は、本明細書の記述および添付図面から明らかになるであろう。
【図面の簡単な説明】
【００１２】
【図１】自動分析装置の全体構成概略図。
【図２】試薬・試料共通収納部の斜視模式図。
【図３】試薬・試料共通収納部の内部上面図と断面図。
【図４】試薬ボトルの形状を示す図。
【図５Ａ】試薬トレイの斜視模式図。
【図５Ｂ】試薬トレイの斜視模式図。
【図６】サンプルラックの斜視模式図。
【図７】試薬ボトルの架設の有無及び向きを検知する判定スキームを示す図。
【図８Ａ】試薬ボトルの逆置き判定のフローチャート。
【図８Ｂ】試薬ボトルの逆置き判定のフローチャート。
【発明を実施するための形態】
【００１３】
以下、図面を用いて本発明の実施の形態を説明する。
【００１４】
図１に自動分析装置の全体構成を概略的に示す。図１において、インキュベータ１の円周上には反応容器２が並んでいる。反応容器２は全ての反応で共通のものを使用し、使い捨てとする。反応容器２は反応容器トレイ２０に保管されており、分注チップ／反応容器搬送機構１７によりインキュベータ１に供給される。インキュベータ１は、モータなどの駆動機構により、１サイクルで所定の数の反応容器に相当する距離を回転駆動するよう制御される。
【００１５】
試薬・試料共通収納部３には、複数の試薬ボトル４および試料容器５が載置可能とされている。この例では、試薬ボトル４が試料容器５の内周に位置しているが、試料容器５が試薬ボトル４の内周に位置していてもよいし、試薬ボトル４と試料容器５とが径方向ではなく、周方向に区分けして位置する構成であってもよい。
【００１６】
インキュベータ１と試薬・試料共通収納部３との間には、それぞれ回転及び上下動可能であって、分注ノズルを備えた第１分注機構８及び第２分注機構９が設置されている。分注ノズルにはそれぞれポンプ１０，１１が接続されている。
【００１７】
第１分注機構８と第２分注機構９とは、異なる分析過程の検査で使い分けるものとする。例えば、第１分注機構８を生化学用、第２分注機構９を免疫用とすると、第１分注機構８では生化学検査用の試料、試薬を分注し、第２分注機構９では、免疫検査用の試料、試薬を分注する。なお、生化学検査、免疫検査のどちらの検査も行う試料については、生化学検査のときは第１分注機構８が、免疫検査のときは第２分注機構９がアクセスして分注を行う。なお、免疫用の第２分注機構９では試料間のコンタミネーションを防ぐ必要性が高いため、分注の際、分注ノズルに分注チップ１８を装着する。分注チップ１８は分注チップトレイ１９に保管されており、分注チップ／反応容器搬送機構１７により分注チップ装着位置２２に供給され、分注チップ装着位置２２にて分注ノズルに装着される。
【００１８】
分注ノズルは回転軸を中心に円弧を描きながら移動して試料容器から反応容器への試料分注を行う。それぞれの分注ノズルの軌道上には、試薬・試料共通収納部３上の試薬吸引位置６及び試料吸引位置７と、インキュベータ１上の第１分注位置及び第２分注位置と、分注ノズルを洗浄するための洗浄槽１２（１３）が存在する。第２分注機構９では分注チップを使用するため、それらに加えて分注チップ装着位置２２及び分注チップ廃棄位置２３もその軌道上に存在する。第１分注機構８と第２分注機構９とは、それぞれの分注ノズルの軌道同士や機構同士が物理的に干渉しないように配置されている。
【００１９】
生化学検査のときは分注ノズル、免疫検査のときは分注ノズルに装着された分注チップにより試料と試薬とを吸引し、反応容器２内での分注ノズルまたは分注チップによる吸引吐出動作により試料と試薬とが攪拌され、混合される。試料と試薬が混合された反応液を収容した反応容器２は、インキュベータ１により所定温度に管理され、所定の時間、反応を促進される。
【００２０】
インキュベータ１の周囲には、生化学検査用の分光光度計１５が配置されている。分光光度計１５は、図示しない光源や検出器を備えており、試料と試薬が混合された反応液に光源を照射して得られる透過光を分光して検出することにより、反応液の吸光度を測定する。
【００２１】
また、インキュベータ１により所定の時間反応させた反応液を免疫検査用の検出機構１６で測定する。免疫検査では、標識物質を検出する方式として電気化学発光や化学発光を原理とするものがあり、各々に適する第２液体や標識物質、検出領域の構造と物性が選択され、その標識物質の発光反応に由来する発光量を、光電子増倍管を検出器として測定する。
【００２２】
生化学検査において、インキュベータ１で吸光度の測定が完了した反応容器２は分注チップ／反応容器搬送機構１７により分注チップ／反応容器廃棄ボックス２１に廃棄される。免疫検査において、インキュベータ１により所定の時間反応させた反応液が入った反応容器２の検出機構１６への移動、及び検出機構１６で測定完了した反応容器２の分注チップ／反応容器廃棄ボックス２１への移動も、分注チップ／反応容器搬送機構１７によって行われる。
【００２３】
自動分析装置の各機構は制御部２８に接続されている。制御部２８は、インキュベータの回転駆動や、試薬・試料共通収納部内部の回転動作、試料ノズルの駆動、試料吸引、試料吐出の動作などの各種機構を制御する。なお、図１においては、図示の簡単のため、自動分析装置を構成する各機構と制御部との接続は省略して示している。
【００２４】
続いて、試薬・試料共通収納部３の構成を説明する。図２は試薬・試料共通収納部３の斜視模式図である。試薬・試料共通収納部３上面には試薬、試料へのコンタミネーション防止と保温のための蓋３９が備えられており、蓋３９には、第１分注機構８及び第２分注機構９が試薬を吸引するための試薬吸引位置６（この例では、試薬ボトルの開口部にあわせて３ヶ所）、試料を吸引するための試料吸引位置７、及び試薬撹拌機構１４が試薬を撹拌するための試薬撹拌機構アクセス位置４８に、分注機構または試薬攪拌機構がアクセスするための穴が設けられている。また、試薬ボトル４を保持する試薬トレイ３０及び試料を架設するサンプルラック３１を試薬・試料共通収納部３から出し入れするための取り出し口５０を備えている。また、取り出し口５０には開閉蓋５１が設けられている。さらに、試薬・試料共通収納部３の側面にはサンプルラック３１及び試料容器５に付与されたバーコードを読み取るためのバーコード読み取り窓４９を備えている。
【００２５】
図３に、試薬・試料共通収納部３の内部上面図と、内部上面図に示すＡ−Ａ線における断面図とを示す。この例では試薬・試料共通収納部３は内周に試薬ボトル４が、外周に試料容器５が円周上に並ぶレイアウトとなっており、試薬ボトル４を複数個保持する試薬トレイ３０と、試料容器５を複数個保持するサンプルラック３１とを備え、試薬トレイ３０及びサンプルラック３１はそれぞれを固定する機能をもつ試薬・試料ディスク３２に架設される。試薬・試料ディスク３２は収納容器３３の内部にあり、収納容器３３の周囲は断熱材３４に覆われることにより、冷却機３５により冷やされた収納容器３３の内部を保温することができる。収納容器３３の中心部には円筒部があり、円筒部内部には試薬・試料ディスク３２を目的位置へ回転移動する駆動部３６、試薬ボトル４に付与されるＩＣタグ２９と情報の読み取りまたは情報の書き込みを行うアンテナ３７及び試薬ボトル４の有無を判定するための検知器３８を備えている。アンテナ３７は試薬ボトル４が正規の向きに架設された場合には読み書きができ、逆向きに架設された場合にはＩＣタグ２９の読み取り範囲から外れた位置になるよう配置される。アンテナ３７及び検知器３８は、円筒部内部の１箇所に設けられ、ここではＡ−Ａ線上に設けられているが、円筒部内部の任意の場所でよい。アンテナ３７及び検知器３８が断熱材３４の中に設けられることにより、アンテナ３７及び検知器３８の存在が収納容器３３の保冷の障害にならないようにされている。検知器３８は例えば、レーザ光源と光検出器を有し、レーザ光源からレーザ光を所定の試薬ボトル保持部に向けて照射し、その反射光の有無により試薬ボトルの有無を検知する。このため、収納容器３３の一部にレーザ光を通すための窓を設ける必要がある。窓部分の断熱材３４を除いてしまうと、収納容器３３内外の温度差により窓が結露したり、窓近傍の温度の変動が大きくなったりするおそれがある。検知器３８を断熱材３４の中に設けることにより、そのような副作用を回避することが可能になる。試薬ボトルに近接した領域に制御部２８は記憶保持部５２と接続されており、記憶保持部５２は試薬ボトル４のＩＣタグ２９からの試薬情報を保持する。試薬情報には、例えば、試薬の内容、試薬ボトルを一意に特定するＩＤや試薬ボトルにおける試薬の使用状況といった情報が含まれる。
【００２６】
図４に試薬・試料共通収納部３に架設される試薬ボトル４の形状を示す。図では、試薬ボトルの蓋は開放状態とされている。試薬ボトル４は、複数（例えば３つ）の試薬容器４１，４２，４３により一体的に構成された略直方体形状を有しており、試薬容器４１，４２，４３のそれぞれ上面には、各容器の試薬にアクセスするための開口部が上方に突出して設けられているとともに、試薬容器蓋４４が備えられコンタミネーションや試薬の蒸発を防いでいる。試薬容器４１，４２，４３はそれぞれが異なる溶液を収容することができる。試薬ボトル４の短辺側面の一面に試薬情報を管理するためのＩＣタグ２９を備えている。
【００２７】
図５Ａ，Ｂに試薬トレイ３０の構成を斜視模式図に示す。図５Ａは空の試薬トレイ３０を、図５Ｂは試薬ボトルが保持された試薬トレイ３０を示している。試薬・試料共通収納部３に収納された状態では、試薬ボトルの蓋は開放状態とされている。図５Ａに示すように、試薬トレイ３０は複数の試薬ボトル保持部４０を備えている。図５Ｂに示すように、試薬ボトル４のＩＣタグ２９が付された側面が試薬・試料共通収納部３の内周方向を向くように架設されている状態を正規の向きとする。ここで、試薬ボトル保持部４０は試薬ボトル４の形状にあわせて直方体状になっているため、試薬ボトル４は正規の向きにも、逆向きにも試薬ボトル保持部４０に架設することができてしまう。
【００２８】
図６に、試料容器５を架設した状態でのサンプルラック３１の斜視模式図を示す。サンプルラック３１は試料容器を保持する試料保持部５４を複数個備えており、試料保持部５４には、試薬・試料共通収納部３の外周にあるバーコード読み取り機で試料容器５に付与されるバーコード（図示せず）の読み取りが出来るよう溝５５が切られている。サンプルラック３１にも、試薬・試料共通収納部３内部に複数架設されるサンプルラックを識別するため、ラックバーコード５３が付されている。
【００２９】
図７に本実施例における試薬ボトルの架設の有無及び向きを検知する判定スキームを示す。試薬・試料共通収納部３内部に架設された試薬ボトル４が、駆動部３６により検知器３８及びアンテナ３７と対向する位置に搬送される。制御部２８は、検知器３８を用いて試薬ボトル４の有無を検知し、アンテナ３７を用いて試薬ボトル４の架設の向きの正否を判定する。試薬ボトル４の架設の向きは、試薬ボトル４に付与されたＩＣタグ２９の情報の読み書きを行い、正常に行えるか否かで判定する。なお、判定は、制御部２８が試薬ボトル４の管理に必要な読み書きをＩＣタグ２９と正常に行えるか否かで判定することが望ましいが、ＩＣタグ２９の情報の読み取り可否のみで行っても、架設の向きの正否判定には十分である。
【００３０】
検知器３８での判定が試薬ボトルあり、ＩＣタグ２９に対する情報の読み書きが正常に行われた場合には、正規の向きに試薬ボトル４が架設されていると判定できる（図７（１）の場合）。これに対して、試薬ボトル４が逆向きに架設されるとＩＣタグ２９はアンテナ３７の読み取り範囲から外れて情報の読み書きができないため、逆向きに試薬ボトル４が架設されていると判定できる（図７（２）の場合）。この場合は、ディスプレイやＬＥＤなどの表示灯に警告を表示したり、音声ないし警告音にてオペレーターに知らせたりすることで、試薬ボトルを逆置きにしたことによる分析結果の異常を防ぐことができる。検知器３８での判定が試薬ボトルなし、ＩＣタグ２９に対する情報の読み書きも行えない場合には、試薬ボトル４が架設されていないと判定できる（図７（３）の場合）。
【００３１】
図８Ａ及び図８Ｂに、制御部２８が実行する試薬ボトル４の試薬登録動作のフローチャートを示す。本フローチャートは、試薬・試料共通収納部３の開閉蓋５１が開けられた後に実行される。開閉蓋５１開放中に、格納された試薬ボトルに対してどのような操作がなされたか装置は認識できないため、開閉蓋５１の開閉の度に、試薬・試料共通収納部３に収容されている試薬ボトルについて試薬登録動作を実行する。試薬ボトル４の逆置き判定は試薬ボトル４の試薬登録動作の一部として実行される。
【００３２】
図８Ａにおいて、オペレーターにより試薬登録の実行が指示されると（Ｓ１）、駆動部３６によって、試薬ボトル４がアンテナ３７及び検知器３８の読み取り位置まで移動する（Ｓ２）。検知器３８による試薬ボトルの有無検知とアンテナ３７による読み書きとを一緒に実施する（Ｓ３）。上述のように、アンテナ３７によるＩＣタグの読み取りだけでもよい。この時、試薬ボトル有りかつＩＣタグ２９への読み書きが可能な場合は試薬登録動作を行う（Ｓ５）。これに対して、試薬ボトル無しかつ読み書き不可の場合、あるいは試薬ボトル有りかつＩＣタグ２９への読み書きが不可の場合には、試薬ボトルの登録動作はスキップする（Ｓ７）。あわせて、試薬ボトル有りと判定されているにも関わらず、ＩＣタグ２９への読み書きが不可の場合には、上述のように、試薬ボトルが逆置きされている可能性をオペレーターに警告する（Ｓ６）。試薬・試料共通収納部３の１周分について以上の判定を実施し（Ｓ８）、試薬登録を完了する（Ｓ９）。
【００３３】
アンテナによるＩＣタグ２９の読み書きには数秒の時間を要するため、図８Ａのように試薬・試料共通収納部３のすべてのポジションについて逆置き判定を行うと試薬登録に時間が掛かることが懸念される。
【００３４】
より短時間で試薬登録を完了する判定フローを図８Ｂに示す。オペレーターにより試薬登録の実行が指示されると（Ｓ１）、駆動部３６によって、試薬ボトル４がアンテナ３７及び検知器３８の読み取り位置まで移動する（Ｓ２）。本フローでは、まず検知器３８により試薬ボトルの有無を検知する（Ｓ１０）。試薬ボトルが有る場合にはアンテナ３７による読み書きを実施（Ｓ１１）し、試薬ボトルが無い場合には次の試薬ボトルを駆動部３６によって読み取り位置まで移動させる（Ｓ２）。すなわち、検知器３８による検知結果に応じて、ＩＣタグ２９の読み書き動作をスキップする。ＩＣタグ２９への読み書きが可能な場合は試薬登録動作を行う（Ｓ５）。これに対して、ＩＣタグ２９への読み書きが不可の場合には試薬ボトルが逆置きされている可能性をオペレーターに警告し（Ｓ６）、試薬ボトルの登録動作をスキップする（Ｓ７）。試薬・試料共通収納部３の１周分について以上の判定を実施し（Ｓ８）、試薬登録を完了する（Ｓ９）。
【００３５】
本フローの変形例として、先に検知器３８による試薬ボトルの有無検知を試料共通収納部１周分実施し、記憶保持部５２に試薬ボトルがセットされている位置を記憶させておいて、その後、該当ポジションの逆置き判定及び試薬登録を行うことも時間短縮に有効である。
【００３６】
以上、本実施の形態を説明したが、本発明は以上説明した実施の形態に限定されるものではない。例えば、例示した自動分析装置では試薬・試料共通収納部３内の外周にサンプルラック３１に架設された試料容器５を配置し、ＩＣタグ２９を試薬ボトル４の短辺側面に付与しているため、アンテナ３７を内周側に配置している。試薬・試料共通収納部３における試薬ボトルの配置方法に応じてアンテナ３７の配置位置は変更される。例えば試薬ボトル４と試料容器５の収納領域を径方向ではなく、周方向に分離するような場合は、アンテナ３７を収納部の外周に設置することも考えられる。この場合、試薬ボトル４を架設した時の正規の向きは外周に配置されたアンテナ３７とＩＣタグ２９とが対向する向きとなる。
【００３７】
また、以上の実施例においてアンテナ３７と検知器３８は鉛直方向に沿って、すなわち同じ試薬ボトルの短辺側面と対向するように配置しているが、検知器３８を試薬・試料共通収納部３上面の蓋３９に備えることも可能である。この時、アンテナ３７と検知器３８とは、一つの試薬ボトルに対する検知器３８による有無検知とアンテナ３７による情報の読み書きとが駆動部３６の回転無しに行えるよう配置することが望ましい。検知器３８による有無検知とアンテナ３７による情報の読み取りが同時に行えない場合、それぞれが検知またはアクセスした試薬ボトルを一致させるため、判定結果の同期をとる必要がある。
【符号の説明】
【００３８】
１：インキュベータ、２：反応容器、３：試薬・試料共通収納部、４：試薬ボトル、５：試料容器、６：試薬吸引位置、７：試料吸引位置、８：第１分注機構、９：第２分注機構、１０：第１分注機構用ポンプ、１１：第２分注機構用ポンプ、１２：第１分注ノズル洗浄槽、１３：第２分注ノズル洗浄槽、１４：試薬撹拌機構、１５：分光光度計、１６：検出機構、１７：分注チップ／反応容器搬送機構、１８：分注チップ、１９：分注チップトレイ、２０：反応容器トレイ、２１：分注チップ／反応容器廃棄ボックス、２２：分注チップ装着位置、２３：分注チップ廃棄位置、２８：制御部、２９：ＩＣタグ、３０試薬トレイ、３１：サンプルラック、３２：試薬・試料ディスク、３３：収納容器、３４：断熱材、３５：冷却機、３６：駆動部、３７：アンテナ、３８：検知器、３９：蓋、４０：試薬ボトル保持部、４１，４２，４３：試薬容器、４４：試薬容器蓋、５３：ラックバーコード、５４：試料保持部、５５：溝。
【図１】
2020179246.tif 000003
【図２】
2020179246.tif 000004
【図３】
2020179246.tif 000005
【図４】
2020179246.tif 000006
【図５Ａ】
2020179246.tif 000007
【図５Ｂ】
2020179246.tif 000008
【図６】
2020179246.tif 000009
【図７】
2020179246.tif 000010
【図８Ａ】
2020179246.tif 000011
【図８Ｂ】
2020179246.tif 000012
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
直方体状であって、その短辺側面の一面にＩＣタグを備えた試薬ボトルを複数収容可能な収納部と、
前記ＩＣタグと通信するためのアンテナと、
前記試薬ボトルの有無を検知する検知器と、
前記収納部が開閉される度に、前記収納部に収容されている試薬ボトルについて試薬登録動作を実行する制御部とを有し、
前記収納部は、冷却機により冷却される収納容器と、前記収納容器の周囲を覆う断熱材と、前記試薬ボトルを保持する試薬ボトル保持部が複数設けられた試薬トレイと、前記試薬トレイを回転可能に保持するディスクと、前記ディスクを駆動する駆動部とを有し、
前記制御部は、前記試薬登録動作を実行する際、前記検知器が読み取り位置に試薬ボトルを検知した場合には前記読み取り位置に位置する前記試薬ボトル保持部に架設された試薬ボトルの前記ＩＣタグとの通信動作を行い、試薬ボトルを検知しなかった場合には前記通信動作をスキップし、
前記制御部は、前記検知器が試薬ボトルの存在を検知した前記試薬ボトル保持部に架設された第１の試薬ボトルの前記ＩＣタグと通信不能である場合には、前記第１の試薬ボトルが逆向きに架設されていると判断する自動分析装置。
【請求項２】
請求項１において、
前記検知器及び前記アンテナは、同一の前記試薬ボトル保持部に対向するように設けられた自動分析装置。
【請求項３】
請求項２において、
前記試薬トレイの前記試薬ボトル保持部は、前記試薬ボトルの短辺側面が前記収納容器の内周を向く形状を有し、
前記検知器及び前記アンテナは、前記試薬ボトル保持部に保持された前記試薬ボトルの短辺側面と対向する位置に設けられた自動分析装置。
【請求項４】
請求項３において、
前記検知器及び前記アンテナは前記断熱材の中に設けられている自動分析装置。
【請求項５】
請求項１において、
前記試薬ボトルには蓋が設けられ、前記試薬ボトルが前記収納部に収容されている状態においては、前記試薬ボトルの蓋が開放されている自動分析装置。
【請求項６】
請求項３において、
前記収納部は、試料容器を保持する試料保持部が複数設けられたサンプルラックを有し、
前記ディスクは前記サンプルラックを回転可能に保持するとともに、前記サンプルラックは前記試薬トレイに対して外周側に位置するよう配置される自動分析装置。
【国際調査報告】
2020179246.tif 000013
2020179246.tif 000014
2020179246.tif 000015
2020179246.tif 000016